(57)【要約】【課題】小型ディスプレイを眼鏡に固定したときに視界の妨げになりにくい。【解決手段】眼鏡５００における片眼に取り付けられる小型ディスプレイ１１であって、ディスプレイ本体部４０と、ディスプレイ本体部４０における水平方向の略中央に取り付けられて鉛直方向に延伸する鉛直延伸部１００と、一端が眼鏡５００のブリッジ５１０に接続されるとともに他端が眼鏡５００の智５４１、５４３に接続され、鉛直延伸部１００を水平方向に摺動可能に保持する水平延伸部７０とを備える小型ディスプレイ１１が提供される。【選択図】図１
2007251681.tif 000002
【特許請求の範囲】
【請求項１】
眼鏡における片眼に取り付けられる小型ディスプレイであって、
ディスプレイ本体部と、
前記ディスプレイ本体部における水平方向の略中央に取り付けられて鉛直方向に延伸する鉛直延伸部と、
一端が前記眼鏡のブリッジに接続されるとともに他端が前記眼鏡の智に接続され、前記鉛直延伸部を水平方向に摺動可能に保持する水平延伸部と
を備える小型ディスプレイ。
【請求項２】
前記ディスプレイ本体部が少なくとも鉛直面内で回動するジョイント部をさらに備える請求項１に記載の小型ディスプレイ。
【請求項３】
前記鉛直延伸部は、前記ディスプレイ本体部に取り付けられて前記ディスプレイ本体を支持する第１支持部材、前記水平延伸部に取り付けられて、前記第１支持部材を鉛直方向に摺動可能に支持する第２支持部材、および、前記第１支持部材を前記第２支持部材に対して鉛直方向について固定する固定部を有する請求項１または請求項２に記載の小型ディスプレイ。
【発明の詳細な説明】
【技術分野】
【０００１】
本発明は、連結部及び画像形成装置に関する。本発明は、特に、眼鏡に小型ディスプレイを取り付ける連結部、及び、当該小型ディスプレイを用いた画像形成装置に関する。
【背景技術】
【０００２】
図６は、公知の小型ディスプレイ１０が眼鏡５００に取り付けられた状態を示す斜視図を示す。図７は、小型ディスプレイ１０を使用する場合に用いる眼鏡５００の斜視図を示す。図６に示すように、小型ディスプレイ１０は、眼鏡５００を掛けた使用者に対して画像を生成して表示する。小型ディスプレイ１０は、画像情報を生成する画像情報生成部３０と、画像情報生成部３０が生成した画像情報を表示するディスプレイ本体部４０とを備える。
【０００３】
画像情報生成部３０は、生成部本体３２及びこの生成部本体３２とディスプレイ本体部４０とを電気的に接続するケーブル３４とを有する。生成部本体３２は、記憶媒体に記憶された画像を読み出して画像情報を生成して、この画像情報をケーブル３４を介してディスプレイ本体部４０に送る。
【０００４】
ディスプレイ本体部４０は、ディスプレイ部４２および本体部４４を有する。ディスプレイ部４２は、例えば１インチの液晶パネルとレンズとを有し、生成部本体３２から送られた画像情報を表示する。本体部４４は、その外側に固定金具５２が取り付けられており、固定金具５２の端部５４は、本体部４４の横側に突き出ている。また、この端部５４の上面および下面には、鉛直方向に貫通したネジ穴が形成されたネジ螺合部５６を有する。鉛直位置調整ネジ６２は、このネジ穴に螺合しており、その一端は摺動部材６４とアーム６６で接続している。摺動部材６４は、一対の向かい合う面間を貫通する貫通穴を有する。水平延伸部７０は、摺動部材６４の貫通穴を貫通して配され、摺動部材６４を摺動可能に保持する。また、水平延伸部７０の両端には磁石８２および磁石８４が配されている。
【０００５】
図７に示すように、眼鏡５００は、ブリッジ５１０、リム５２１、５２３、レンズ５３１、５３３、智５４１、５４３、蝶番５５１、５５３およびテンプル５６１、５６３を有する。ブリッジ５１０上面の両側には、磁石面５７１、５７３が形成されている。また、智５４１、５４３の上面には、磁石面５７５、５７７が形成されている。
【０００６】
小型ディスプレイ１０は、眼鏡５００のレンズ５３１またはレンズ５３３の一方の側に取り付けられる。図６に示すように、小型ディスプレイ１０がレンズ５３１の側に取り付けられる場合、水平延伸部７０の一端の磁石８２は、眼鏡５００のブリッジ５１０上面におけるレンズ５３１の側に形成された磁石面５７１と当接して磁力により接着する。また、水平延伸部７０の他端の磁石８４は、眼鏡５００の智５４１上面に形成された磁石面５７５と当接して磁力により接着する。したがって、水平延伸部７０は、レンズ５３１の上部に架け渡されるとともに、水平延伸部７０が貫通する摺動部材６４と鉛直位置調整ネジ６２および固定金具５２を介して接続する小型ディスプレイ１０は、レンズ５３１の外側に配される。このとき、ディスプレイ部４２は、画像情報を表示する面がレンズ５３１と対向する向きに配されるので、使用者は、眼鏡５００を掛けた状態で、レンズ５３１を通してディスプレイ部４２に表示される画像情報を見ることができる。
【０００７】
上記小型ディスプレイ１０は、レンズ５３３の側に取り付けられる場合、水平延伸部７０の一端の磁石８２は、眼鏡５００のブリッジ５１０上面におけるレンズ５３３の側に形成された磁石面５７３と当接して磁力により接着する。また、水平延伸部７０の他端の磁石８４は、眼鏡５００の智５４３上面に形成された磁石面５７７と当接して磁力により接着する。ディスプレイ本体部４０は、レンズ５３１またはレンズ５３３の側に取り付けられた状態で、水平延伸部７０上において摺動部材６４を略水平に動かすことで、レンズ５３１またはレンズ５３３における水平方向の所望の位置へ移動させることができる。また、ディスプレイ本体部４０は、鉛直位置調整ネジ６２におけるネジ螺合部５６の位置を調整することで、レンズ５３１またはレンズ５３３における鉛直方向の所望の位置へ移動させることができる。
【０００８】
以上において説明した小型ディスプレイ１０は、図６に示すように、ディスプレイ本体部４０の横側に、固定金具５２の端部５４、ネジ螺合部５６および鉛直位置調整ネジ６２が配されている。したがって、とりわけ使用者がディスプレイ本体部４０をレンズ５３１またはレンズ５３３におけるブリッジ５１０の側（眼鏡５００の中央側）に配置した場合において、使用者がディスプレイ部４２に表示される画像情報から眼をそらしたときに、固定金具５２の端部５４、ネジ螺合部５６および鉛直位置調整ネジ６２が視界を妨げる。また、ディスプレイ本体部４０をレンズ５３１またはレンズ５３３に取り付けたままではディスプレイ本体部４０を鉛直方向に移動させることができない。したがって、ディスプレイ本体部４０を鉛直方向に移動させる場合には、ディスプレイ本体部４０を眼鏡５００から外してから鉛直位置調整ネジ６２におけるネジ螺合部５６の位置を調整しなければならない。さらに、ディスプレイ本体部４０がレンズ５３１またはレンズ５３３に取り付けられているときに、使用者がディスプレイ本体部４０を一時的に視界の邪魔にならない場所に移動させる場合は、ディスプレイ本体部４０とともに水平延伸部７０および鉛直位置調整ネジ６２なども眼鏡５００から取り外す必要があった。
【０００９】
ところで、眼鏡に拡大鏡を取り付ける取り付け具が知られている（例えば、特許文献１を参照）。この取り付け具は、眼鏡の一部を挟むクリップ部と、拡大鏡が取り付けられた軸棒とが二段のリンクにより連結されている。
【特許文献１】特開２００３−２９５１２８号公報
【発明の開示】
【発明が解決しようとする課題】
【００１０】
上記特許文献１に開示されている拡大鏡の取り付け具は、リンクを動かすことでクリップ部およびアームを眼鏡から外すことなく拡大鏡を使用者の視界の外へ移動させることができる。しかしながら、この取り付け具を用いて上記ディスプレイ本体部４０を眼鏡に取り付けると、使用者がディスプレイ本体部４０のディスプレイ部４２に表示される画像情報から眼をそらしたときに、クリップ部から左右に延びるアームが視界を妨げる場合がある。
【課題を解決するための手段】
【００１１】
上記課題を解決するために、本発明の第１の形態においては、眼鏡における片眼に取り付けられる小型ディスプレイであって、ディスプレイ本体部と、ディスプレイ本体部における水平方向の略中央に取り付けられて鉛直方向に延伸する鉛直延伸部と、一端が眼鏡のブリッジに接続されるとともに他端が眼鏡の智に接続され、鉛直延伸部を水平方向に摺動可能に保持する水平延伸部とを備える小型ディスプレイが提供される。これにより、ディスプレイ本体部の横に鉛直延伸部が配される場合と比べて、小型ディスプレイを眼鏡に固定したときに視界の妨げになりにくい。
【００１２】
上記小型ディスプレイは、ディスプレイ本体部が少なくとも鉛直面内で回動するジョイント部をさらに備えてもよい。これにより、小型ディスプレイを眼鏡から外すことなくディスプレイ本体部を視界の外へ動かすことができる。
【００１３】
上記小型ディスプレイにおいて、鉛直延伸部は、ディスプレイ本体部に取り付けられてディスプレイ本体を支持する第１支持部材、水平延伸部に取り付けられて、第１支持部材を鉛直方向に摺動可能に支持する第２支持部材、および、第１支持部材を第２支持部材に対して鉛直方向について固定する固定部を有してもよい。これにより、小型ディスプレイを眼鏡から外すことなくディスプレイ本体部を鉛直方向の所望の位置に移動させることができる。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、本発明の第１の実施形態に係る小型ディスプレイ１１が眼鏡５００に取り付けられた状態を示す斜視図を示す。図２は、小型ディスプレイ１１におけるディスプレイ本体部４０と水平延伸部７０とが接続する部分の拡大図を示す。図１および図２において、図６および図７に示す小型ディスプレイ１０と同じ符号を付したものについては、同じ構成であり説明を省略する。小型ディスプレイ１１は、本体部４４の外側に固定金具１５２が取り付けられている。固定金具１５２の端部１５４は、本体部４４の上面における水平方向の略中央にあり、上側に突き出ている。この端部１５４は、水平方向に貫通穴が空けられており、図１および図２に示すように、鉛直延伸部１００の一端と接続されてネジ１５８およびナット１５９で固定されている。
【００１７】
鉛直延伸部１００は、図１および図２に示すように、ディスプレイ本体部４０における水平方向の略中央において固定金具１５２の端部１５４に取り付けられており、鉛直方向に延伸している。また、鉛直延伸部１００は、鉛直延伸部１００における端部１５４に取り付けられている側とは反対側の端部にボール１１２が形成される。このボール１１２は、摺動部材１６４から延伸するアーム１６６の先端に形成された受け１１４に回動可能に嵌め込まれてボールジョイントを成す。これらボール１１２および受け１１４は、本発明のジョイント部の具体的形態を示す一例である。摺動部材１６４は、上記小型ディスプレイ１０の摺動部材６４と同様の形状であり、その貫通穴には水平延伸部７０が貫通しており、水平延伸部７０に摺動可能に保持される。
【００１８】
上記小型ディスプレイ１１のディスプレイ本体部４０は、ディスプレイ本体部４０上部における水平方向の略中央に取り付けられて鉛直方向に延伸する鉛直延伸部１００を介して水平延伸部７０と接続している。したがって、小型ディスプレイ１１が例えば眼鏡５００のレンズ５３１の側に取り付けられた（図１）状態で、上記小型ディスプレイ１０のようにディスプレイ本体部４０の横に鉛直延伸部１００が配される形態と比べて、視界の妨げになりにくい。また、この状態において、ディスプレイ本体部４０は、ボール１１２の表面に沿って、鉛直かつレンズ５３１と直交する面内、レンズ５３１と平行な面内、および、水平面内で回転することができる。さらに、図２に示すように、受け１１４には、溝１１６が形成される。これにより、小型ディスプレイ１１を眼鏡５００から外すことなく、鉛直かつレンズ５３１と直交する面内においてディスプレイ本体部４０を視界の妨げにならない位置まで移動することができる。
【００１９】
図３は、本発明の第２の実施形態に係る小型ディスプレイ１２が眼鏡５００に取り付けられた状態を示す斜視図を示す。図４は、小型ディスプレイ１２におけるディスプレイ本体部４０と水平延伸部７０とが接続する部分の拡大図を示す。図３および図４において、図６および図７に示す小型ディスプレイ１０と同じ符号を付したものについては、同じ構成であり説明を省略する。また、以下において、図３に示すように小型ディスプレイ１２が眼鏡５００のレンズ５３１の側に取り付けられている場合について小型ディスプレイ１２の具体的な構成についてさらに説明する。
【００２０】
小型ディスプレイ１２は、本体部４４の外側に固定金具２５２が取り付けられている。固定金具２５２の端部２５４は、本体部４４の上面における水平方向の略中央にあり、上側に突き出ている。また、端部２５４は、水平方向に貫通したネジ穴が形成されたネジ螺合部２５６を有し、図３および図４に示すように、第１支持部材２００の一端と接続されてネジ２５８およびナット２５９で固定される。
【００２１】
第１支持部材２００は、図３および図４に示すように、ディスプレイ本体部４０における水平方向の略中央において固定金具２５２の端部２５４に取り付けられており、鉛直方向に延伸している。第２支持部材２１０は、アーム２６６を介して摺動部材２６４と接続している。また、第２支持部材２１０は、その上面および下面に、第１支持部材２００の断面と略同じ形状および面積の穴２１２が空けられている。図３および図４に示すように、第１支持部材２００は、これらの穴２１２を貫通しており、第２支持部材２１０に鉛直方向に摺動可能に支持されている。摺動部材２６４は、上記小型ディスプレイ１０の摺動部材６４および小型ディスプレイ１１の摺動部材１６４と同様の形状であり、その貫通穴には水平延伸部７０が貫通しており、水平延伸部７０に摺動可能に保持される。
【００２２】
図５は、第２支持部材２１０の内部構造を示す断面図を示す。図５に示すように、第１支持部材２００は、第２支持部材２１０の外殻２１１の鉛直方向における中心を貫通している。また、第２支持部材２１０の外殻２１１の内側には、当接部材２２２および板バネ２２３を含む固定部２２０が配される。板バネ２２３は、その一端が当接部材２２２の一の面と当接しており、当接部材２２２に対して第１支持部材２００と当接する方向に常時付勢力を与えている。したがって、第１支持部材２００の側面が当接部材２２２と当接している状態では、第１支持部材２００は、第２支持部材２１０に対して鉛直方向について動くことなく固定される。
【００２３】
図５に示すように、当接部材２２２における板バネ２２３と当接する面には引っ掛かり２２４が設けられる。また、第２支持部材２１０は、外殻２１１に設けられた開口２２５から外側に突出するレバー２２７、および、開口２２５において鉛直方向に掛け渡された回動軸２２６を有する。回動軸２２６の鉛直方向の両端は、外殻２１１に固定される。レバー２２７はこの回動軸２２６を中心に回動する。また、レバー２２７の回動軸２２６に対して反対側、すなわちレバー２２７における第２支持部材２１０の外殻２１１の内側には、引っ掛かり２２８が形成される。
【００２４】
ここで、図５に示す矢印ａの方向にレバー２２７を動かすと、引っ掛かり２２８は、当接部材２２２の引っ掛かり２２４を引っ掛けて、当接部材２２２を図５に示す矢印ｂの方向に動かす。これにより、当接部材２２２は第１支持部材２００の側面から離れるので、第１支持部材２００は第２支持部材２１０に対して鉛直方向に自由に動くことができる。また、レバー２２７が図５に示す矢印ａの方向に動いた状態でレバー２２７を離すと、レバー２２７は直ちに図５に示す位置に戻るとともに、当接部材２２２は第１支持部材２００の側面と当接する。したがって、第１支持部材２００は第２支持部材２１０に対して鉛直方向について動くことなく固定される。
【００２５】
例えば小型ディスプレイ１２が取り付けられた眼鏡５００を掛けた使用者がディスプレイ本体部４０を鉛直方向に動かしたいときは、使用者は、上記レバー２２７の操作により、第１支持部材２００に支持されるディスプレイ本体部４０を鉛直方向の所望の位置に移動させることができる。したがって、小型ディスプレイ１２を眼鏡５００から外すことなくディスプレイ本体部４０を鉛直方向の所望の位置に移動させることができる。また、第１支持部材２００は、端部２５４に取り付けられている側とは反対側の端部に、ストッパー２０２が取り付けられる。したがって、例えば使用者がレバー２２７の操作を誤った場合など、第２支持部材２１０が第１支持部材２００の一番上まで移動したときに、第２支持部材２１０はストッパー２０２に当接して止まるので、第２支持部材２１０が第１支持部材２００から抜けてディスプレイ本体部４０が落下することがない。
【００２６】
以上、本発明を実施の形態を用いて説明したが、本発明の技術的範囲は上記実施の形態に記載の範囲には限定されない。上記実施の形態に、多様な変更または改良を加えることができることは当業者に明らかである。その様な変更または改良を加えた形態も本発明の技術的範囲に含まれ得ることが、特許請求の範囲の記載から明らかである。
【図面の簡単な説明】
【００２７】
【図１】本発明の第１の実施形態に係る小型ディスプレイ１１が眼鏡５００に取り付けられた状態を示す斜視図を示す。
【図２】小型ディスプレイ１１におけるディスプレイ本体部４０と水平延伸部７０とが接続する部分の拡大図を示す。
【図３】本発明の第２の実施形態に係る小型ディスプレイ１２が眼鏡５００に取り付けられた状態を示す斜視図を示す。
【図４】小型ディスプレイ１２におけるディスプレイ本体部４０と水平延伸部７０とが接続する部分の拡大図を示す。
【図５】第２支持部材２１０の内部構造を示す断面図を示す。
【図６】公知の小型ディスプレイ１０が眼鏡５００に取り付けられた状態を示す斜視図を示す。
【図７】小型ディスプレイ１０を使用する場合に用いる眼鏡５００の斜視図を示す。
【符号の説明】
【００２８】
１０、１１、１２  小型ディスプレイ
３０  画像情報生成部
３２  生成部本体
３４  ケーブル
４０  ディスプレイ本体部
４２  ディスプレイ部
４４  本体部
５２  固定金具
５４  端部
５６  ネジ螺合部
６２  鉛直位置調整ネジ
６４  摺動部材
６６  アーム
７０  水平延伸部
８２  磁石
８４  磁石
１００  鉛直延伸部
１１２  ボール
１１４  受け
１１６  溝
１５２  固定金具
１５４  端部
１５８  ネジ
１５９  ナット
１６４  摺動部材
１６６  アーム
２００  第１支持部材
２０２  ストッパー
２１０  第２支持部材
２１１  外殻
２１２  穴
２２０  固定部
２２２  当接部材
２２３  板バネ
２２４  引っ掛かり
２２５  開口
２２６  回動軸
２２７  レバー
２２８  引っ掛かり
２５２  固定金具
２５４  端部
２５６  ネジ螺合部
２５８  ネジ
２５９  ナット
２６４  摺動部材
２６６  アーム
５００  眼鏡
５１０  ブリッジ
５２１、５２３  リム
５３１、５３３  レンズ
５４１、５４３  智
５５１、５５３  蝶番
５６１、５６３  テンプル
５７１、５７３、５７５、５７７  磁石面
【図１】
2007251681.tif 000003
【図２】
2007251681.tif 000004
【図３】
2007251681.tif 000005
【図４】
2007251681.tif 000006
【図５】
2007251681.tif 000007
【図６】
2007251681.tif 000008
【図７】
2007251681.tif 000009